(57)【要約】【課題】着衣のまま血圧測定した場合の測定精度を向上させることのできる血圧測定装置を提供する。【解決手段】血圧計１は、予め、測定部位から衣服を除いた状態での測定値と、着衣のままでの測定値とから、着衣のままでの測定値から血圧値を算出するためのパラメータを記憶する。血圧測定時にボタン３−４で服有りモードが選択されると、測定値に対して記憶されている上記パラメータを用いて血圧値を算出する。【選択図】図１
2008264365.tif 000002
【特許請求の範囲】
【請求項１】
測定用流体袋と、
前記測定用流体袋の内圧変化を測定するセンサと、
被測定者の測定時の測定部位の衣服に関する情報に対応してパラメータを設定する第１設定手段と、
前記センサで得られる前記測定用流体袋の内圧変化に基づいて、前記パラメータを用いて血圧値を算出する算出手段とを備える、血圧測定装置。
【請求項２】
前記被測定者の測定時の測定部位の衣服に関する情報は、前記被測定者が測定時に前記測定部位に着衣していることである、請求項１に記載の血圧測定装置。
【請求項３】
前記被測定者の測定時の測定部位の衣服に関する情報は、前記被測定者が測定時に前記測定部位に着衣している前記衣服の属性に関する情報である、請求項１に記載の血圧測定装置。
【請求項４】
前記被測定者の測定時の測定部位の衣服に関する情報を選択し設定する第２設定手段をさらに備える、請求項１に記載の血圧測定装置。
【請求項５】
前記パラメータを記憶する記憶手段をさらに備え、
前記第１設定手段は、前記記憶手段より、前記被測定者の測定時の測定部位の衣服に関する情報に対応した前記パラメータを取得する取得手段を含む、請求項１に記載の血圧測定装置。
【請求項６】
前記被測定者の、測定部位に衣服のない状態での前記センサで得られる前記測定用流体袋の内圧変化と、前記測定部位に前記衣服のある状態での前記センサで得られる前記測定用流体袋の内圧変化とを用いて、前記測定者の測定時の前記衣服に関する情報に対応した前記パラメータを決定する決定手段をさらに備える、請求項１に記載の血圧測定装置。
【請求項７】
前記被測定者の測定時の測定部位の衣服に関する情報に対応する基準値を取得する取得手段と、
前記基準値と前記センサで得られる前記測定用流体袋の内圧変化とを用いて、前記パラメータを用いて前記血圧値を算出するか否かを判断する判断手段とをさらに備える、請求項１に記載の血圧測定装置。
【請求項８】
測定用流体袋と、前記測定用流体袋の内圧変化を測定するセンサとを含んだ血圧測定装置で得られる測定データの処理をコンピュータに実行させるプログラムであって、
被測定者の測定時の測定部位の衣服に関する情報に対応してパラメータを設定するステップと、
前記センサで得られる前記測定用流体袋の内圧変化に基づいて、前記パラメータを用いて血圧値を算出するステップとを実行させる、測定データ処理プログラム。
【発明の詳細な説明】
【技術分野】
【０００１】
この発明は血圧測定装置および測定データ処理プログラムに関し、特に、オシロメトリック方式の血圧測定装置およびオシロメトリック方式の血圧測定装置で測定された測定データを処理する測定処理プログラムに関する。
【背景技術】
【０００２】
特開２００４−１８０９１０号公報（以下、特許文献１）に開示されているような、オシロメトリック方式の血圧測定装置では、空気袋を内包する腕帯（カフ）を測定者である生体の所定部位に巻付けて固定し、空気袋を加減圧してその内圧の初期状態からの変化である内圧変化を測定することで、測定者の血圧を計測している。
【０００３】
図１４は、オシロメトリック方式での血圧値の決定方法を説明するための図である。図１４（Ａ）は、縦軸を圧力、横軸を時間として、時間経過に伴う、カフ圧力と動脈圧力との変化およびカフ圧力と動脈圧力との関係の具体例を示す図である。図１４（Ａ）において、曲線Ａ１が動脈圧力の変化を表わしており、線分（または曲線）Ａ２がカフ圧力の変化を表わしている。ここでは、初期段階でカフ内圧を所定圧力まで加圧した後、次段階で一定の減圧速度で徐々に減圧していき、減圧段階で血圧測定を行なうものとする。図１４（Ａ）を参照して、血圧値を決定する際には、上記減圧段階においてカフ圧力が動脈圧力の最大圧力（心筋収縮期血圧）に一致した時点（第１時点とする）からカフ圧力が動脈圧力の最小圧力（心筋拡張期血圧）に一致した時点（第２時点とする）までの測定結果を用いる。
【０００４】
図１４（Ｂ）は、縦軸を圧脈波振幅、横軸をカフ圧力として、上記第１時点から上記第２時点までの、カフ圧力に対する動脈圧力波の振幅の変化を表わす曲線（包絡線）を示している。オシロメトリック方式では、この包絡線を演算に用いて血圧値が決定される。
【０００５】
ところで、特許文献１に開示されているような従来の血圧測定装置では、服を脱いで、または、袖を捲って血圧を測定するのが一般的である。しかしながら、特に温度が低い場所で服を脱いだり袖を捲ったりすることは、測定者の体への刺激が強く、血圧変動の原因にもなる。また、血圧を測定する必要がある測定者には高齢者が多いことを考慮すると、測定者の体に急激な刺激を与えることはできるだけ避けることが好ましい。また、袖を捲ることで上腕の上部が強く圧迫される場合が少なからずあり、それによる血圧への影響も無視できない。このため、着衣のまま血圧を測定したいという要求がある。また、服を着た状態で測定できれば、より簡単に測定できるという使用者側のメリットも大きい。
【特許文献１】特開２００４−１８０９１０号公報
【発明の開示】
【発明が解決しようとする課題】
【０００６】
着衣のまま血圧を測定した場合、カフ圧力に対する動脈圧力波の振幅の変化を表わす曲線（包絡線）は、図１４（Ｃ）に示されるようになる。図１４（Ｃ）は、縦軸を振幅、横軸をカフ圧力として、着衣のまま血圧測定した場合の、上記第１時点から上記第２時点までの、カフ圧力に対する動脈圧力波の振幅の変化を表わす曲線（包絡線）を示している。
【０００７】
図１４（Ｃ）を参照して、着衣のまま血圧を測定すると、カフと測定部位との間に介する衣服に脈の拍動が吸収されるために、振幅値が、図１４（Ｂ）に示されている衣服のない状態での振幅値に比べて小さくなり、包絡線の形状が図１４（Ｂ）に示されている包絡線の形状から変化している。これは、カフと測定部位との間に衣服を介することでカフの圧迫力が損失したこと、あるいは、カフへの拍動の伝播に損失が生じたことを示している。
【０００８】
つまり、特許文献１に開示されているような従来の血圧測定装置では、着衣のまま血圧を測定すると、脈の拍動やカフの圧迫力が衣服によって損失し、測定精度が確保できないという問題がある。
【０００９】
本発明はこのような問題に鑑みてなされたものであって、オシロメトリック方式の血圧測定方法において着衣のまま血圧測定した場合の測定精度を向上させることのできる血圧測定装置および測定データ処理プログラムを提供することを目的とする。
【課題を解決するための手段】
【００１０】
上記目的を達成するために、本発明のある局面に従うと、血圧測定装置は、測定用流体袋と、測定用流体袋の内圧変化を測定するセンサと、被測定者の測定時の測定部位の衣服に関する情報に対応してパラメータを設定する第１設定手段と、センサで得られる測定用流体袋の内圧変化に基づいて、上記パラメータを用いて血圧値を算出する算出手段とを備える。
【００１１】
好ましくは、被測定者の測定時の測定部位の衣服に関する情報は、被測定者が測定時に測定部位に着衣していることである。
【００１２】
または、好ましくは、被測定者の測定時の測定部位の衣服に関する情報は、被測定者が測定時に測定部位に着衣している衣服の属性に関する情報である。
【００１３】
好ましくは、血圧測定装置は、被測定者の測定時の測定部位の衣服に関する情報を選択し設定する第２設定手段をさらに備える。
【００１４】
好ましくは、血圧測定装置は、上記パラメータを記憶する記憶手段をさらに備え、第１設定手段は、記憶手段より、被測定者の測定時の測定部位の衣服に関する情報に対応したパラメータを取得する取得手段を含む。
【００１５】
好ましくは、血圧測定装置は、被測定者の、測定部位に衣服のない状態でのセンサで得られる測定用流体袋の内圧変化と、測定部位に衣服のある状態でのセンサで得られる測定用流体袋の内圧変化とを用いて、測定者の測定時の測定部位の衣服に関する情報に対応したパラメータを決定する決定手段をさらに備える。
【００１６】
好ましくは、血圧測定装置は、被測定者の測定時の測定部位の衣服に関する情報に対応する基準値を取得する取得手段と、基準値とセンサで得られる測定用流体袋の内圧変化とを用いて、パラメータを用いて血圧値を算出するか否かを判断する判断手段とをさらに備える。
【００１７】
本発明の他の局面に従うと、測定データ処理プログラムは、測定用流体袋と、測定用流体袋の内圧変化を測定するセンサとを含んだ血圧測定装置で得られる測定データの処理をコンピュータに実行させるプログラムであって、被測定者の測定時の測定部位の衣服に関する情報に対応してパラメータを設定するステップと、センサで得られる測定用流体袋の内圧変化に基づいて、上記パラメータを用いて血圧値を算出するステップとを実行させる。
【発明の効果】
【００１８】
本発明によると、着衣のまま血圧測定した際の測定精度を向上させることができる。
【発明を実施するための最良の形態】
【００１９】
以下に、図面を参照しつつ、本発明の実施の形態について説明する。以下の説明では、同一の部品および構成要素には同一の符号を付してある。それらの名称および機能も同じである。
【００２０】
［第１の実施の形態］
図１は、第１の実施の形態にかかる血圧測定装置（以下、血圧計）１の外観の概略図である。
【００２１】
図１を参照して、血圧計１は、本体２と、測定部位である上腕に巻付ける腕帯５とを備え、それらがエア管１０で接続される。本体２の正面には、ボタン等の操作部３と、測定結果等を表示する表示器４とが配備される。
【００２２】
操作部３には、電源のＯＮ／ＯＦＦを指示するためのボタン３−１、測定の開始／停止を指示するためのボタン３−２、使用者を選択するためのボタン３−３、および被測定者の測定時の衣服に関する情報として、着衣のまま測定するのか衣服を除いて測定するのかを選択するためのボタン３−４が含まれる。
【００２３】
腕帯５には測定用空気袋１３（図２参照）が配置され、腕帯５を測定部位である上腕に巻付けることで測定用空気袋１３が測定部位に押付けられる。
【００２４】
図２は、血圧計１のハードウェア構成の具体例を示すブロック図である。
図２を参照して、血圧計１は、本体２と、測定部位である上腕に巻付ける腕帯５とを備え、それらがエア管１０で接続される。本体２の正面には、ボタン等の操作部３と、測定結果等を表示する表示器４とが配備される。腕帯５には測定用空気袋１３が配置され、腕帯５を測定部位である上腕に巻付けることで測定用空気袋１３が測定部位に押付けられる。
【００２５】
測定用空気袋１３は測定用エア系２０に接続されている。測定用エア系２０には、測定用空気袋１３の内圧変化を測定する圧力センサ２３、測定用空気袋１３に対する給気／排気を行なうポンプ２１、および弁２２が含まれる。
【００２６】
また、血圧計１の本体２内には、血圧計１全体を制御するＣＰＵ（Central Processing Unit）４０と、測定用エア系２０に接続される増幅器２８、ポンプ駆動回路２６、および弁駆動回路２７と、増幅器２８に接続されるＡ／Ｄ（Analog to Digital）変換器２９と、ＣＰＵ４０で実行されるプログラムや測定結果を記憶するメモリ部４１とが含まれる。
【００２７】
ＣＰＵ４０は、操作部３から入力される操作信号に基づいてメモリ部４１に記憶されている所定のプログラムを実行し、ポンプ駆動回路２６および弁駆動回路２７に制御信号を出力する。ポンプ駆動回路２６および弁駆動回路２７は、制御信号に従ってポンプ２１および弁２２を駆動させ、血圧測定動作を実行させる。
【００２８】
圧力センサ２３は測定用空気袋１３の内圧変化を検出し、検出信号を増幅器２８に入力する。入力された圧力信号は増幅器２８において所定振幅まで増幅され、Ａ／Ｄ変換器２９においてデジタル信号に変換された後にＣＰＵ４０に入力される。ＣＰＵ４０は、圧力センサ２３から得られた測定用空気袋１３の内圧変化に基づいて所定の処理を実行し、その結果に応じてポンプ駆動回路２６および弁駆動回路２７に上記制御信号を出力する。また、ＣＰＵ４０は、圧力センサ２３から得られた測定用空気袋１３の内圧変化に基づいて血圧値を算出し、測定結果を表示器４に表示させるために出力する。
【００２９】
弁２２は、ＣＰＵ４０からの制御信号に従った弁駆動回路２７によってその開閉が制御されて、測定用空気袋１３内の空気を排出する。
【００３０】
血圧計１では、測定に先だって、着衣時の血圧値を算出するために必要な値やパラメータを登録するための登録処理が行なわれる。図３は、血圧計１で登録処理を行なうための機能構成の具体例を示すブロック図である。図３に示される機能は、ＣＰＵ４０がメモリ部４１に記憶されている所定のプログラムを実行することで主にＣＰＵ４０に形成される機能である。また、図３に示される機能のうちの一部が、図２に示されたＣＰＵ４０の他の構成によって形成されてもよい。
【００３１】
図３を参照して、血圧計１で登録処理を行なうための機能は、モード選択部１０１、測定結果入力部１０３、測定結果記憶部１０５、第１判断部１０７、基準値記憶部１０９、パラメータ決定部１１１、パラメータ記憶部１１３、および報知部１１５を含んで構成される。
【００３２】
モード選択部１０１はボタン３−４の操作による操作信号の入力を受付けて、血圧測定モードが着衣のままのモードであるか、測定部位から衣服を除いたモードであるかを選択し、選択結果を示す信号を測定結果記憶部１０５に入力する。以降の説明において、前者のモードを「服有りモード」と称し、後者のモードを「服無しモード」と称する。
【００３３】
測定結果入力部１０３は増幅器２８およびＡ／Ｄ変換器２９を介して圧力センサ２３からの測定結果の入力を受付けて、測定結果記憶部１０５に記憶する。測定結果記憶部１０５は測定結果入力部１０３で受付けた測定結果を、モード選択部１０１より入力された測定モードに対応付けて記憶する。登録処理においては、各モードについて複数回、たとえば３回測定が行なわれるものとし、測定結果記憶部１０５は服有りモード、服無しモードの各々について、入力された３つの測定結果をそのモードに対応付けて記憶する。
【００３４】
第１判断部１０７は、測定結果記憶部１０５に記憶されている服有りモードでの測定結果と服無しモードでの測定結果とを読み出して、測定結果が適切であるか否かを判断し、適切である場合には基準値記憶部１０９およびパラメータ決定部１１１に測定結果を入力する。または、適切でない場合には報知部１１５にその旨を示す信号を入力する。報知部１１５は、警告を表示器４に表示させるための信号を生成し、表示器４に入力する。または、血圧計１にその旨を表わす警告灯などが備えられている場合には、その警告灯を点灯させるための制御信号を出力してもよい。または、その他の方法で警告が行なわれる場合には、その方法に応じた処理がなされてもよい。
【００３５】
第１判断部１０７は、第１の判断として、各モードにおいて、測定結果のばらつきを算出し、所定範囲内であるか否かを判断する。測定結果のばらつきを算出する方法は本発明において特定の方法には限定されず、値のばらつきを算出する方法であればあらゆる方法が採用され得る。たとえば、あるモードでの３回の測定で得られたカフ圧力に対する動脈圧力波の振幅の変化を表わす曲線（包絡線）が、図４に示される関係である場合、第１判断部１０７では、第１の判断としてばらつきが大きいと判断し、その旨を示す信号を報知部１１５に入力する。同じ条件（衣服の有無）での測定で測定結果のばらつきが大きい場合には、服有りモードにおける衣服の影響を服無しモードでの測定結果に対して正確に把握することが難しくなる。そこで、第１判断部１０７が第１の判断を行なうことで、各モードにおける複数回の血圧測定で、有効な測定結果が得られているか否かが判断される。
【００３６】
第１判断部１０７は、第２の判断および第３の判断として、服有りモードでの測定結果と服無しモードでの測定結果との間の関係が適切であるか否かを判断する。ここでは、上述の各モードでの複数の測定結果の平均値をそのモードでの測定結果として用いてもよいし、代表的な測定結果をそのモードでの測定結果として用いてもよいし、その他の演算値をそのモードでの測定結果として用いてもよい。
【００３７】
第１判断部１０７は、具体的には、図５に示されるように、第２の判断として、服無しモードでの包絡線の振幅（Ａ）に対する服有りモードでの包絡線の振幅（Ｂ）の比（Ｂ／Ａ）がしきい値α以上であるか否かを判断する。また、第３の判断として、服有りモードでの包絡線のピーク時のカフ圧力に対する服無しモードでの包絡線のピーク時のカフ圧力の推移がしきい値β以下であるか否かを判断し、その旨を示す信号を報知部１１５に入力する。
【００３８】
たとえば、服有りモードでの包絡線と服無しモードでの包絡線との関係が図６に示される関係である場合、服無しモード（Ａ）での包絡線の振幅に対する服有りモードでの包絡線の振幅（Ｂ１）の比α１（＝Ｂ１／Ａ）がしきい値α以上である。この場合、第１判断部１０７は、第２の判断として服有りモードでの測定結果と服無しモードでの測定結果との間の関係が適切ではないと判断する。上記振幅の比がしきい値以上であるということは、服有りモードにおいて衣服の測定結果への影響が補正可能な範囲よりも大きいことを指し、服有りモードでの血圧測定が適切でないことを示している。そこで、第１判断部１０７が第２の判断を行なうことで、着衣のまま測定した際に、衣服で吸収されることによって損失する拍動が補正可能な範囲であるか否かが判断される。
【００３９】
またたとえば、服有りモードでの包絡線と服無しモードでの包絡線との関係が図７に示される関係である場合、服有りモードでの包絡線のピーク時のカフ圧力に対する服無しモードでの包絡線のピーク時のカフ圧力の推移β１がしきい値β以上である。この場合、第１判断部１０７は、第３の判断として服有りモードでの測定結果と服無しモードでの測定結果との間の関係が適切ではないと判断し、その旨を示す信号を報知部１１５に入力する。上記推移がしきい値以上であるということは、服有りモードにおいて衣服の測定結果への影響が補正可能な範囲よりも大きいことを指し、服有りモードでの血圧測定が適切でないことを示している。そこで、第１判断部１０７が第３の判断を行なうことで、着衣のまま測定した際に、衣服で吸収されることによって損失するカフによる圧迫力が測定可能な範囲であるか否かが判断される。
【００４０】
第１判断部１０７は上記第１の判断，第２の判断，第３の判断の結果、すべての判断において測定結果が適切であると判断した場合に、服有りモードでの測定結果から得られる動脈圧力波の振幅値や包絡線の形状を、服有りモードでの基準値として基準値記憶部１０９に記憶させる。
【００４１】
パラメータ決定部１１１は、第１判断部１０７で上記第１の判断，第２の判断，第３の判断の結果、すべての判断において測定結果が適切であると判断された場合に、上述の振幅の比α１，ピーク時のカフ圧力の推移β１、またはα，βから算出される値を着衣時の血圧値を算出するために必要なパラメータとして決定し、パラメータ記憶部１１３に記憶させる。
【００４２】
図８は、血圧計１における登録処理の流れの具体例を示すフローチャートである。図８のフローチャートに示される登録処理はボタン３−１が押下されて電源がＯＮされたときに開始される処理であって、ＣＰＵ４０がメモリ部４１に記憶されている所定のプログラムを読出して実行し、図３に示される機能を発揮させることによって実現される。または、図８の処理は、図示されない登録処理を開始させるためのボタンが押下されたとき、または登録処理を開始させるための所定の操作が行なわれたときに開始されてもよい。
【００４３】
図８を参照して、始めにボタン３−３が操作されることによる測定者（ＡまたはＢ）を選択する操作信号を受付けて（ステップＳ１０１）、ＣＰＵ４０では測定者を決定する。次に、ボタン３−４が操作されることによる服有りモードまたは服無しモードを選択する操作信号を受付けて、モード選択部１０１でモードを選択する（ステップＳ１０３）。
【００４４】
ステップＳ１０３でモードの選択を受付けると、受付けた各モードにおいて複数回血圧値が測定される（ステップＳ１０５）。ここでは、具体例として各モードにおいて３回ずつ測定されるものとする。
【００４５】
次に、第１判断部１０７において、ステップＳ１０５での測定結果について、各モードにおいて測定結果のばらつきが許容範囲内であるか否かの上記第１の判断（ステップＳ１０７）、服有りモードでの包絡線の振幅に対する服無しモードでの包絡線の振幅の比がしきい値以上であるか否かの上記第２の判断（ステップＳ１０９）、および服有りモードでの包絡線のピーク時のカフ圧力に対する服無しモードでの包絡線のピーク時のカフ圧力の推移がしきい値以上であるか否かの上記第３の判断（ステップＳ１１１）が行なわれる。
【００４６】
上記第１の判断〜第３の判断において、いずれの条件も満たすと判断された場合には（ステップＳ１０７でＹＥＳ，Ｓ１０９でＹＥＳ，かつＳ１１１でＮＯ）、服有りモードでの測定結果から得られる動脈圧力波の振幅値や包絡線の形状が、服有りモードでの基準値として基準値記憶部１０９に記憶される（ステップＳ１１３）。さらに、パラメータ決定部１１１において、ステップＳ１０９，Ｓ１１１で得られる上述の振幅の比α１，ピーク時のカフ圧力の推移β１しきい値または上記しきい値から算出される値が着衣時の血圧値を算出するために必要なパラメータとして決定され（ステップＳ１１５）、パラメータ記憶部１１３に記憶される。
【００４７】
上記第１の判断〜第３の判断において、いずれかの条件を満たさないと判断された場合には（ステップＳ１０７でＮＯ，Ｓ１０９でＮＯ，またはＳ１１１でＹＥＳ）、報知部１１５において服有りモードでの血圧測定が適切でないことを報知するための処理が行なわれ、警告が出力される（ステップＳ１１７）。
【００４８】
以上で、血圧計１における登録処理が終了する。
血圧計１では、上記登録処理が行なわれた後、服無しモードまたは服有りモードで血圧測定が実行される。図９は、血圧計１で血圧測定を行なうための機能構成の具体例を示すブロック図である。図９に示される機能もまた、ＣＰＵ４０がメモリ部４１に記憶されている所定のプログラムを実行することで主にＣＰＵ４０に形成される機能である。また、図９に示される機能のうちの一部が、図２に示されたＣＰＵ４０の他の構成によって形成されてもよい。
【００４９】
図９を参照して、血圧計１で血圧測定を行なうための機能は、図３に示されたモード選択部１０１、測定結果入力部１０３、基準値記憶部１０９、パラメータ記憶部１１３、および報知部１１５に加えて、パラメータ取得部１２１、第２判断部１２３、および算出部１２５を含んで構成される。
【００５０】
モード選択部１０１は服有りモードまたは服無しモードを選択し、選択結果を示す信号をパラメータ取得部１２１および第２判断部１２３に入力する。測定結果入力部１０３は、増幅器２８およびＡ／Ｄ変換器２９を介して圧力センサ２３から受付けた測定結果を第２判断部１２３および算出部１２５に入力する。
【００５１】
パラメータ取得部１２１はモード選択部１０１で服有りモードが選択された場合に、パラメータ記憶部１１３に記憶されている着衣時の血圧値を算出するために必要なパラメータを取得し、算出部１２５に渡す。
【００５２】
第２判断部１２３はモード選択部１０１で服有りモードが選択された場合に、基準値記憶部１０９に記憶されている服有りモードでの基準値と比較し、測定結果入力部１０３で受付けた測定結果が許容範囲内にあって服有りモードでの測定結果として適切であるか否かを判断する。服有りモードでの基準値としては動脈圧力波の振幅値や包絡線の形状が記憶されており、第２判断部１２３は測定結果入力部１０３で受付けた測定結果から動脈圧力波の振幅値を算出して基準値である振幅値との差がしきい値内であるか否かを判断したり、測定結果入力部１０３で受付けた測定結果から包絡線の形状を求めて基準値である包絡線の形状との差がしきい値内であるか否かを判断したりすることで、上記判断を行なう。第２判断部１２３は、判断結果を示す信号を、測定結果が服有りモードでの測定結果であると判断された場合には算出部１２５に、そのように判断されなかった場合には報知部１１５に入力する。報知部１１５は、エラー表示を表示器４に表示させるための信号を生成し、表示器４に入力する。
【００５３】
算出部１２５は、第２判断部１２３において測定結果が服有りモードでの測定結果であると判断された場合に、測定結果入力部１０３から入力された測定結果とパラメータ取得部１２１から入力されたパラメータとを用いて演算し、血圧値を算出する。
【００５４】
図１０は、算出部１２５での血圧値の算出方法を説明する図であり、服有りモードでのカフ圧力に対する動脈圧力波の振幅の変化を表わす曲線（包絡線）と服無しモードでのカフ圧力に対する動脈圧力波の振幅の変化を表わす曲線（包絡線）とを示す図である。
【００５５】
オシロメトリック方式において、心筋収縮期血圧（ＳＹＳ）および心筋拡張期血圧（ＤＩＡ）を動脈圧力波の振幅最大値の所定割合となるカフ圧力で算出される場合で説明する。たとえば、心筋収縮期血圧は動脈圧力波の振幅最大値の６０％となるカフ圧力、および心筋拡張期血圧は動脈圧力波の振幅最大値の５０％となるカフ圧力として算出されるとする。この場合、図１０を参照して、服無しモードでの動脈圧力波の振幅最大値をＭとすると、服無しモードにおける心筋収縮期血圧での動脈圧力波の振幅（ＳＹＳ）および心筋拡張期血圧での動脈圧力波の振幅（ＤＩＡ）は、各々、
振幅（ＳＹＳ）＝０．６Ｍ
振幅（ＤＩＡ）＝０．５Ｍ
と算出される。
【００５６】
図１０に示されるように、服有りモードでの動脈圧力波の振幅最大値が服無しモードでの動脈圧力波の振幅最大値Ｍに対して（１−α１／Ｍ）倍であり、服有りモードでの動脈圧力波の振幅最大値におけるカフ圧力が服無しモードでの動脈圧力波の振幅最大値におけるカフ圧力に対してβ１［ｍｍＨｇ］だけマイナス方向に推移しているものとする。この場合、パラメータ取得部１２１ではパラメータとしてα１，β１が取得され、算出部１２５ではそのパラメータを用いて、服有りモードにおける心筋収縮期血圧での動脈圧力波の振幅（ＳＹＳ）および心筋拡張期血圧での動脈圧力波の振幅（ＤＩＡ）を、各々、
振幅（ＳＹＳ）＝０．６Ｍ×（１−α１／Ｍ）−β
振幅（ＤＩＡ）＝０．５Ｍ×（１−α１／Ｍ）−β
と算出する。
【００５７】
図１１は、血圧計１での血圧測定の際の処理の流れの具体例を示すフローチャートである。図１１のフローチャートに示される処理はボタン３−１が押下されて電源がＯＮされたときに開始される処理であって、ＣＰＵ４０がメモリ部４１に記憶されている所定のプログラムを読出して実行し、図９に示される機能を発揮させることによって実現される。
【００５８】
図１１を参照して、始めにボタン３−３が操作されることによる測定者（ＡまたはＢ）を選択する操作信号を受付けて（ステップＳ２０１）、ＣＰＵ４０では測定者を決定する。次に、ボタン３−４が操作されることによる服有りモードまたは服無しモードを選択する操作信号を受付けて、モード選択部１０１でモードを選択する（ステップＳ２０３）。次に、ボタン３−２が操作されることによる血圧測定の開始を指示する操作信号を受付けて血圧測定が実行され、測定結果が入力される（ステップＳ２０５）。
【００５９】
ステップＳ２０３で服有りモードが選択されている場合（ステップＳ２０７でＹＥＳ）、パラメータ取得部１２１においてパラメータ記憶部１１３に記憶されている着衣時の血圧値を算出するために必要なパラメータが取得される（ステップＳ２０９）。そして、第２判断部１２３においてステップＳ２０５で入力された測定結果が服有りモードでの測定結果として適切であると判断された場合には（ステップＳ２１１でＹＥＳ）、算出部１２５において、ステップＳ２０５で入力された測定結果とステップＳ２０９で取得されたパラメータとを用いて上述のように演算処理が実行されて、服有りモードでの血圧値が算出される（ステップＳ２１３）。算出された血圧値は、表示器４に表示される（ステップＳ２１５）。
【００６０】
第２判断部１２３においてステップＳ２０５で入力された測定結果が服有りモードでの測定結果として適切ではないと判断された場合には（ステップＳ２１１でＮＯ）、以降の演算処理は行なわれず、報知部１１５において表示器４でエラー表示をするための信号が生成されて、表示器４においてエラー表示される（ステップＳ２１７）。
【００６１】
ステップＳ２０３で服無しモードが選択されている場合には（ステップＳ２０７でＮＯ）、上記ステップＳ２０９，Ｓ２１１がスキップされて、算出部１２５において、ステップＳ２０５で入力された測定結果を用いて予め定められている演算処理が実行されて、服無しモードでの血圧値が算出される（ステップＳ２１３）。この場合のステップＳ２１３での演算処理は、通常の衣服を除去した状態で血圧測定される場合の演算処理と同様であり、本発明において特定の演算処理には限定されない。
【００６２】
以上で、血圧計１における血圧測定の処理が終了する。
血圧計１において上記登録処理および血圧測定が行なわれることで、着衣のままでの測定結果（服有りモードでの測定結果）と、衣服を除いたときの測定結果（服無しモードでの測定結果）とを比較することで衣服の測定結果への影響を予めパラメータとして登録し、服有りモードでの測定結果を上記パラメータを用いて補正して血圧値が算出される。これにより、着衣のまま血圧測定した場合であっても、得られた測定結果から衣服の影響を排し、衣服を除いて測定したときと同じように、血圧値の精度を向上させることができる。
【００６３】
なお、第１の実施の形態では、血圧計１にボタン３−４が備えられて着衣のまま測定するのか衣服を除いて測定するのかを測定者等のユーザが選択するものとしているが、血圧測定においては、着衣のまま測定するのか衣服を除いて測定するのかをユーザが選択せずに、血圧計１において測定結果を基準値と比較することで自動的に判断してもよい。つまり、上記ステップＳ２０３，Ｓ２０７の処理を行なわずに、上記ステップＳ２１１ですべての測定結果について服有りモードでの基準値と比較することで服有りモードでの測定結果であるか服無しモードでの測定結果であるか判断し、その結果に応じて血圧値が算出されるようにしてもよい。また、パラメータ設定は、使用者別に設けてもよい。就寝前後でたとえパジャマのような同じ衣服で血圧を測ることが前提となるため、自然と、同じ時刻に同じ状態で血圧を測定することへの啓蒙効果も期待できる。
【００６４】
［第２の実施の形態］
第２の実施の形態においては、被測定者の測定時の衣服に関する情報として、衣服の属性に関する情報を設定する。以降の具体例では、衣服の属性として衣服の生地の厚みに応じてモードが設定されるものとするが、衣服の属性は生地の厚みに限定されず、測定部位に関わる個所のデザインや衣服の枚数など、測定結果の影響を及ぼすその他の属性であってもよい。
【００６５】
図１２は、第２の実施の形態にかかる血圧計１’の外観の概略図である。図１２を参照して、血圧計１’操作部３には、第１の実施の形態にかかる血圧計１のボタン３−４に替えて、衣服の種類を選択するためのボタン３−５が含まれる。具体的には、衣服の生地が厚手のものであるか、薄手のものであるか、その中間のものであるかを選択するボタンが含まれる。
【００６６】
血圧計１’では、図８に示された登録処理と同様の登録処理が実行されて、衣服の属性ごとに、つまり生地の厚さごとに基準値およびパラメータが登録される。以降の説明では、衣服の生地が厚手である場合の服有りモードを「厚手モード」、薄手のものである場合の服有りモードを「薄手モード」、その中間のものである服有りモードを「中モード」と称する。なお、この具体例では衣服の生地の厚さの種類を上述の３種類としているが、言うまでもなく、２種類であってもよいし、４種類以上であってもよい。これらの場合も、以降の説明と同様に処理され得る。
【００６７】
図１３は、血圧計１’での血圧測定の際の処理の流れの具体例を示すフローチャートである。図１３のフローチャートに示される処理もまた、ボタン３−１が押下されて電源がＯＮされたときに開始される処理であって、ＣＰＵ４０がメモリ部４１に記憶されている所定のプログラムを読出して実行し、図９に示される機能を発揮させることによって実現される。
【００６８】
図１３を参照して、始めにボタン３−３が操作されることによる測定者（ＡまたはＢ）を選択する操作信号を受付けて（ステップＳ２０１）、ＣＰＵ４０では測定者を決定する。次に、上述のステップＳ２０３の処理に替えて、血圧計１’では、ボタン３−５が操作されることによる服有りモードまたは服無しモード、さらに服有りモードの中で、厚手モード、中モード、または薄手モードを選択する操作信号を受付けて、モード選択部１０１でモードを選択する（ステップＳ３０３）。次に、ボタン３−２が操作されることによる血圧測定の開始を指示する操作信号を受付けて血圧測定が実行され、測定結果が入力される（ステップＳ２０５）。
【００６９】
ステップＳ２０３で服有りモードが選択されている場合（ステップＳ２０７でＹＥＳ）、血圧計１’では、パラメータ取得部１２１において、パラメータ記憶部１１３に記憶されている着衣時の血圧値を算出するために必要なパラメータのうち、ステップＳ３０３で選択された服有りモードのうちの厚手モード、薄手モード、または中モードに対応したパラメータが取得される（ステップＳ３０９）。そして、ステップＳ３１１では、第２判断部１２３においてステップＳ２０５で入力された測定結果が、ステップＳ３０３で選択された服有りモードのうちの厚手モード、薄手モード、または中モード服有りモードでの測定結果として適切であるか否かが基準値記憶部１０９に記憶されている各モードでの基準値と比較して判断される。適切であると判断された場合には（ステップＳ３１１でＹＥＳ）、算出部１２５において、ステップＳ２０５で入力された測定結果とステップＳ３０９で取得されたパラメータとを用いて上述のように演算処理が実行されて、服有りモードでの血圧値が算出される（ステップＳ２１３）。算出された血圧値は、表示器４に表示される（ステップＳ２１５）。
【００７０】
第２判断部１２３においてステップＳ２０５で入力された測定結果が服有りモードでの測定結果として適切ではないと判断された場合には（ステップＳ２１１でＮＯ）、以降の演算処理は行なわれず、報知部１１５において表示器４でエラー表示をするための信号が生成されて、表示器４においてエラー表示される（ステップＳ２１７）。血圧計１’では、服有りモードのうち、選択された衣服の属性に応じたモードではない可能性があることを報知する内容のエラーが表示されてもよい。また、その場合、上記ステップＳ２１７でエラー表示しつつ、上記ステップＳ２１３で選択されたモードに対応したパラメータを用いて血圧値を算出し、上記ステップＳ２１５でエラー表示と共に算出された血圧値が表示されてもよい。
【００７１】
ステップＳ２０３で服無しモードが選択されている場合には（ステップＳ２０７でＮＯ）、上記ステップＳ２０９，Ｓ２１１がスキップされて、算出部１２５において、ステップＳ２０５で入力された測定結果を用いて予め定められている演算処理が実行されて、服無しモードでの血圧値が算出される（ステップＳ２１３）。この場合のステップＳ２１３での演算処理は、通常の衣服を除去した状態で血圧測定される場合の演算処理と同様であり、本発明において特定の演算処理には限定されない。
【００７２】
以上で、血圧計１’における血圧測定の処理が終了する。
衣服の生地が厚手の場合（厚手モード）、生地が薄手の場合（薄手モード）に比べて拍動やカフによる圧迫力の衣服による損失が大きい。血圧計１’では、このような衣服の属性を考慮したパラメータを登録し、血圧値の算出に用いる。そのため、血圧計１’を用いることで、着衣のままで血圧を測定した場合の測定精度をより向上させることができる。  
【００７３】
なお、血圧計１’も、測定結果を上述の衣服の属性に対応した基準値と比較することで、自動的に服有りモード／服無しモード、さらに衣服の属性に応じたモードを判断するように構成されてもよい。
【００７４】
上記図１，図１２においては、血圧計が、腕帯５が布等の柔らかい素材で構成されて測定部位である上腕に巻付けられるタイプのものであるとしているが、血圧計１，１’はこのような構成に限定されず、腕帯５が固定式のタイプであってもよい。
【００７５】
さらに、他の実施の形態として、血圧計１がパーソナルコンピュータ等のコンピュータと接続され、図３に示された機能のうちの少なくとも第１判断部１０７、基準値記憶部１０９、パラメータ決定部１１１、およびパラメータ記憶部１１３が上記コンピュータに含まれて、上述の登録処理が、血圧計１から測定結果をおよび選択されたモードに関する情報取得した上記コンピュータにおいて実行されてもよい。同様に、図９に示された機能のうちの少なくともパラメータ取得部１２１、第２判断部１２３、および算出部１２５が上記コンピュータに含まれて、上述の測定結果から血圧値を算出する処理が、血圧計１から測定結果および選択されたモードに関する情報を取得した上記コンピュータにおいて実行されてもよい。さらには、上記コンピュータにおいてモードの選択を受付けて、血圧計１から取得した測定結果を用いて上述の登録処理および／または測定結果から血圧値を算出する処理が実行されてもよい。さらには、上記コンピュータがサーバ等の他の装置に接続されて、基準値記憶部１０９およびパラメータ記憶部１１３等が上記他の装置に備えられて、上記コンピュータが必要に応じて上記他の装置から基準値やパラメータを取得して上記処理を実行する構成であってもよい。
【００７６】
さらに、上述の登録処理および／または測定結果から血圧値を算出する処理をコンピュータに実行させるためのプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７７】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００７８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００７９】
提供されるプログラム製品は、ハードディスクなどのプログラム格納部にインストールされて実行される。なお、プログラム製品は、プログラム自体と、プログラムが記録された記録媒体とを含む。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８１】
【図１】血圧計１の外観の概略図である。
【図２】血圧計１のハードウェア構成の具体例を示すブロック図である。
【図３】血圧計１で登録処理を行なうための機能構成の具体例を示すブロック図である。
【図４】カフ圧力に対する動脈圧力波の振幅の変化を表わす曲線の具体例を示す図である。
【図５】服有りモードと服無しモードとでの、カフ圧力に対する動脈圧力波の振幅の変化を表わす曲線の具体例を示す図である。
【図６】服有りモードと服無しモードとでの、カフ圧力に対する動脈圧力波の振幅の変化を表わす曲線の具体例を示す図である。
【図７】服有りモードと服無しモードとでの、カフ圧力に対する動脈圧力波の振幅の変化を表わす曲線の具体例を示す図である。
【図８】血圧計１における登録処理の流れの具体例を示すフローチャートである。
【図９】血圧計１で血圧測定を行なうための機能構成の具体例を示すブロック図である。
【図１０】算出部１２５での血圧値の算出方法を説明する図である。
【図１１】血圧計１での血圧測定の際の処理の流れの具体例を示すフローチャートである。
【図１２】血圧計１’の外観の概略図である。
【図１３】血圧計１’での血圧測定の際の処理の流れの具体例を示すフローチャートである。
【図１４】オシロメトリック方式での血圧値の決定方法を説明するための図である。
【符号の説明】
【００８２】
１，１’  血圧計、２  本体、３  操作部、３−１〜３−５  ボタン、４  表示器、５  腕帯、１０  エア管、１３  測定用空気袋、２０  測定用エア系、２１  ポンプ、２２  弁、２３  圧力センサ、２６  ポンプ駆動回路、２７  弁駆動回路、２８  増幅器、２９  Ａ／Ｄ変換器、４０  ＣＰＵ、４１  メモリ部、１０１  モード選択部、１０３  測定結果入力部、１０５  測定結果記憶部、１０７  第１判断部、１０９  基準値記憶部、１１１  パラメータ決定部、１１３  パラメータ記憶部、１１５  報知部、１２１  パラメータ取得部、１２３  第２判断部、１２５  算出部。
【図１】
2008264365.tif 000003
【図２】
2008264365.tif 000004
【図３】
2008264365.tif 000005
【図４】
2008264365.tif 000006
【図５】
2008264365.tif 000007
【図６】
2008264365.tif 000008
【図７】
2008264365.tif 000009
【図８】
2008264365.tif 000010
【図９】
2008264365.tif 000011
【図１０】
2008264365.tif 000012
【図１１】
2008264365.tif 000013
【図１２】
2008264365.tif 000014
【図１３】
2008264365.tif 000015
【図１４】
2008264365.tif 000016